(57)【特許請求の範囲】
【請求項１】
目地部を介して設けられた左右の床躯体の目地部側の床躯体に所定間隔で両端部が取付けられた複数個の伸縮できる目地カバー支持機構と、この複数個の目地カバー支持機構に支持された状態で取付けられた、少なくとも２個以上の先端部が重なり合う目地カバーを用いた目地カバー装置とからなる床用目地装置において、前記複数個の目地カバー支持機構を前記一方の目地部側床躯体に先端部が上下左右方向に回動できるように後端部が所定間隔で取付けられ、かつ前記目地部の幅寸法の半分以下の寸法の一方の支持アーム本体、この一方の支持アーム本体の内側面の上部寄りの部位に水平方向に形成された係止レール、この係止レールの下部位置に水平方向に形成されたガイドレール、前記一方の支持アーム本体の内側面の先端部の下部寄りの部位に取付けられた支持ローラとからなる複数個の一方の支持アームと、前記他方の目地部側床躯体に先端部が上下左右方向に回動できるように後端部が所定間隔で取付けられ、かつ前記目地部の幅寸法の半分以下の寸法の他方の支持アーム本体、この他方の支持アーム本体の内側面の上部寄りの部位に水平方向に形成された係止レール、この係止レールの下部位置に水平方向に形成されたガイドレール、前記他方の支持アーム本体の内側面の先端部の下部寄りの部位に取付けられた支持ローラとからなる複数個の他方の支持アームと、前記一方の支持アームおよび他方の支持アームの係止レールとそれぞれ上方から係合する係合片および、前記一方の支持アームおよび他方の支持アームの下端部とそれぞれ下方から係合する係合部を有し、かつ前記目地部の幅寸法の半分以下の寸法の中央支持アーム本体、この中央支持アーム本体の前記一方の支持アーム側に取付けられ、前記一方の支持アームのガイドレール上を転動する一方の支持アーム支持用ローラ、前記中央支持アーム本体の前記他方の支持アーム側に取付けられ、他方の支持アームのガイドレール上を転動する他方の支持アーム支持用ローラと、前記一方の支持アームの支持ローラおよび前記他方の支持アームの支持ローラが転動する、前記中央支持アーム本体の両側面に形成した一対のガイドレールとからなる複数個の中央支持アームと、この複数個の中央支持アームを前記目地部の中央部に位置させる、あるいは前記一方の支持アームおよび他方の支持アームから脱落するのを防止する中央支持アーム保持装置とで構成したことを特徴とする床用目地装置。
【請求項２】
複数個の伸縮できる目地カバー支持機構の一方の支持アームおよび他方の支持アームが対向するように、該複数個の伸縮できる目地カバー支持機構を配置するとともに、対向する一方の支持アームおよび他方の支持アームの先端部間を平行に維持する平行維持杆を枢支したことを特徴とする請求項１記載の
床用目地装置。
【発明の詳細な説明】
【技術分野】
【０００１】
本発明は左右の床躯体間の目地部を覆う床用目地装置に関する。
【背景技術】
【０００２】
従来、この種の床用目地装置は他方の目地部側床面に目地プレートスライド凹部を形成し、一方の目地部側床躯体に後端部が取付けられ、先端部が前記目地プレートスライド凹部にスライド移動可能に支持された目地プレートを位置させ、前記目地プレートスライド凹部に位置する目地プレートをカバープレートで覆うように構成されている。
しかしながら、このように構成された床用目地装置は、地震での目地部が広くなったり、狭くなるような揺れ動きは吸収することができるが、左右の床躯体が不等沈下等によって高さが異なると、カバープレートが目地プレートによって押し上げられ、危険な状態になるという欠点があった。
【先行技術文献】
【特許文献】
【０００３】
【特許文献１】特許第３９５５５４５号公報
【発明の概要】
【発明が解決しようとする課題】
【０００４】
本発明は以上のような従来の欠点に鑑み、地震で左右の床躯体が不等沈下しても、その揺れ動きを吸収することができるとともに、目地部が広くなっても、狭くなっても、その揺れ動きを吸収でき、かつ目地カバーも確実に支持して、目地カバー上を安全に走行することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の目地部側の床躯体に所定間隔で両端部が取付けられた複数個の伸縮できる目地カバー支持機構と、この複数個の目地カバー支持機構に支持された状態で取付けられた、少なくとも２個以上の先端部が重なり合う目地カバーを用いた目地カバー装置とからなる床用目地装置において、前記複数個の目地カバー支持機構を前記一方の目地部側床躯体に先端部が上下左右方向に回動できるように後端部が所定間隔で取付けられ、かつ前記目地部の幅寸法の半分以下の寸法の一方の支持アーム本体、この一方の支持アーム本体の内側面の上部寄りの部位に水平方向に形成された係止レール、この係止レールの下部位置に水平方向に形成されたガイドレール、前記一方の支持アーム本体の内側面の先端部の下部寄りの部位に取付けられた支持ローラとからなる複数個の一方の支持アームと、前記他方の目地部側床躯体に先端部が上下左右方向に回動できるように後端部が所定間隔で取付けられ、かつ前記目地部の幅寸法の半分以下の寸法の他方の支持アーム本体、この他方の支持アーム本体の内側面の上部寄りの部位に水平方向に形成された係止レール、この係止レールの下部位置に水平方向に形成されたガイドレール、前記他方の支持アーム本体の内側面の先端部の下部寄りの部位に取付けられた支持ローラとからなる複数個の他方の支持アームと、前記一方の支持アームおよび他方の支持アームの係止レールとそれぞれ上方から係合する係合片および、前記一方の支持アームおよび他方の支持アームの下端部とそれぞれ下方から係合する係合部を有し、かつ前記目地部の幅寸法の半分以下の寸法の中央支持アーム本体、この中央支持アーム本体の前記一方の支持アーム側に取付けられ、前記一方の支持アームのガイドレール上を転動する一方の支持アーム支持用ローラ、前記中央支持アーム本体の前記他方の支持アーム側に取付けられ、他方の支持アームのガイドレール上を転動する他方の支持アーム支持用ローラと、前記一方の支持アームの支持ローラおよび前記他方の支持アームの支持ローラが転動する、前記中央支持アーム本体の両側面に形成した一対のガイドレールとからなる複数個の中央支持アームと、この複数個の中央支持アームを前記目地部の中央部に位置させる、あるいは前記一方の支持アームおよび他方の支持アームから脱落するのを防止する中央支持アーム保持装置とで床用目地装置を構成している。
【発明の効果】
【０００７】
以上の説明から明らかなように、本発明にあっては次に列挙する効果が得られる。
（１）請求項１により、地震によって目地部が広くなったり、狭くなっても、複数個の目地カバー支持機構が伸縮して、その揺れ動きを吸収する。
この時、一方の支持アームの支持ローラが中央支持アームのガイドレール上を外れることなく転動し、中央支持アームの一方の支持アーム支持用ローラが一方の支持アームのガイドレール上を外れることなく転動するとともに、他方の支持アームの支持ローラが中央支持アームのガイドレール上を外れることなく転動し、中央支持アームの他方の支持アーム支持用ローラが他方の支持アームのガイドレール上を外れることなく転動するので、一方の支持アーム、中央支持アームおよび他方の支持アームは一体となった状態で伸縮するため、上部に荷重が加わっても撓むことなく、強固に支持することができる。
（２）前記（１）によって、複数個の目地カバー支持機構の一方の支持アームの先端部を上下左右方向に回動できるように一方の目地部側床躯体に取付けるとともに、他方の支持アームの先端部を上下左右方向に回動できるように他方の目地部側床躯体に取付けているので、左右の床躯体が地震で異なる前後左右方向に揺れ動いたり、不等沈下しても、その揺れ動きに追従でき、確実に目地カバーを支持することができる。
（３）前記（１）によって、一方の支持アームの上面、中央支持アームの上面および他方の支持アームの上面を同一面に設定することにより、該部に位置させる目地カバーを楽に設置することができる。
（４）請求項２も前記（１）〜（３）と同様な作用効果が得られるとともに、一方の支持アームおよび他方の支持アームの先端部間に枢支された平行維持杆によって平行に維持され、一方の支持アームおよび他方の支持アームが振れるのを防止して、よりスムーズに一方の支持アームおよび他方の支持アームをスライド移動させることができる。
【図面の簡単な説明】
【０００８】
【図１】本発明を実施するための第１の形態の平面図。
【図２】本発明を実施するための第１の形態の正面図。
【図３】本発明を実施するための第１の形態の目地カバー支持機構の平面図（概略断面も含む）。
【図４】図３の４―４線に沿う拡大断面図。
【図５】本発明を実施するための第１の形態の目地カバー支持機構の正面図。
【図６】本発明を実施するための第１の形態の一方の支持アームの説明図。
【図７】本発明を実施するための第１の形態の他方の支持カバーの説明図。
【図８】本発明を実施するための第１の形態の中央支持アームの説明図。
【図９】本発明を実施するための第１の形態の目地カバー装置の正面視側からの説明図。
【図１０】本発明を実施するための第１の形態の目地部が広くなった場合の目地カバー支持機構の説明図。
【図１１】本発明を実施するための第１の形態の目地部が狭くなった場合の目地カバー支持機構の説明図。
【図１２】本発明を実施するための第１の形態の不等沈下した状態の説明図。
【図１３】本発明を実施するための第１の形態の異なる前後方向に揺れ動いた状態の平面視側からの説明図。
【図１４】本発明を実施するための第２の形態の平面図。
【図１５】本発明を実施するための第２の形態の正面図。
【図１６】本発明を実施するための第２の形態の目地カバー装置の正面視側からの説明図。
【図１７】本発明を実施するための第３の形態の平面図。
【図１８】本発明を実施するための第３の形態の正面図。
【図１９】本発明を実施するための第３の形態の目地カバー装置の平面図。
【図２０】本発明を実施するための第４の形態の平面図。
【図２１】本発明を実施するための第４の形態の側面図。
【図２２】本発明を実施するための第４の形態の目地カバー支持機構の取付け状態の説明図。
【図２３】本発明を実施するための第４の形態の一方の支持アームの説明図。
【図２４】本発明を実施するための第４の形態の他方の支持アームの説明図。
【発明を実施するための形態】
【０００９】
以下、図面に示す本発明を実施するための形態により、本発明を詳細に説明する。
【００１０】
図１ないし図１３に示す本発明を実施するための第１の形態において、１は目地部２を介して設けられた左右の床躯体３、３間を走行可能に覆う、所定間隔で両端部が前記左右の床躯体３、３の目地部側に取付けられた複数個の伸縮できる目地カバー支持機構４と、この複数個の目地カバー支持機構４に支持された状態で取付けられた、少なくとも２個以上の先端部が重なり合う目地カバー装置５とからなる本発明の床用目地装置である。
【００１１】
前記複数個の目地カバー支持機構４は図３ないし図８に示すように、前記一方の目地部側床躯体３に先端部が上下左右方向に回動できるように取付金具６によって取付けられ、かつ前記目地部２の幅寸法Ｌの半分以下の寸法の一方の支持アーム７と、前記他方の目地部側床躯体３に先端部が上下左右方向に回動できるように取付金具６によって上面が前記一方の支持アーム７の上面と同一面となるように取付けられ、かつ前記目地部２の幅寸法Ｌの半分以下の寸法の他方の支持アーム８と、この他方の支持アーム８と前記一方の支持アーム７を伸縮方向に移動できるように支持することができ、かつ前記他方の支持アーム８の上面と上面が同一面となる前記目地部２の幅寸法Ｌの半分以下の寸法の中央支持アーム９と、この中央支持アーム９を前記目地部２の中央部に常時位置させる中央支持アーム保持装置１０とで構成されている。
【００１２】
前記取付金具６は前記目地部側の床躯体３、３に複数本のビス１１等で固定される筒状の軸受１２が形成された固定側金具１３と、この固定側金具１３の軸受１２に回転可能に挿入される軸１４、この軸１４の上端部に固定されたコ字状で枢支軸１５で前記一方の支持アーム７を上下方向に回動可能に支持する支持部１６とからなる可動側金具１７とで構成されている。
【００１３】
前記一方の支持アーム７は後端上部に後方へ突出する前記取付金具６の枢支軸１５が挿入される軸孔１８が形成された支持部１９が形成された板状の一方の支持アーム本体２０と、この一方の支持アーム本体２０の内側面の上部寄りの部位に水平方向に形成された係止レール２１と、この係止レール２１の下部位置に水平方向に形成されたガイドレール２２と、前記一方の支持アーム本体２０の内側面の先端下部寄りの部位に取付けられた支持ローラ２３とで構成されている。
【００１４】
前記他方の支持アーム８は後端上部に後方へ突出する、前記取付金具６の枢支軸１５が挿入される軸孔１８が形成された支持部１９が形成された板状の他方の支持アーム本体２４と、この他方の支持アーム本体２４の内側面の上部寄りの部位に水平方向に形成された係止レール２１と、この係止レール２１の下部位置に水平方向に形成されたガイドレール２２と、前記他方の支持アーム本体２４の内側面の先端下部寄りの部位に取付けられた支持ローラ２３とからなる、前記一方の支持アーム７と同構成に構成されている。
【００１５】
前記中央支持アーム９は前記一方の支持アーム７と他方の支持アーム８との間に位置される板状の中央支持アーム本体２５と、この中央支持アーム本体２５の上部に一体形成された、前記一方の支持アーム７の係止レール２１と前記他方の支持アーム８の係止レール２１にそれぞれ係合する係合片２６、２６と、前記中央支持アーム本体２５の下端部と一体形成された、前記一方の支持アーム７の下端部と前記他方の支持アーム８の下端部の外方への移動を阻止する係合部２７、２７と、前記中央支持アーム本体２５の前記一方の支持アーム７のガイドレール２２上を転動する、該一方の支持アーム７側に取付けられた一方の支持アーム用ローラ２８と、前記中央支持アーム本体２５の前記他方の支持アーム８のガイドレール２２上を転動する、該他方の支持アーム８側に取付けられた他方の支持アーム支持用ローラ２９と、前記中央支持アーム本体２５の下部寄りの部位に形成された前記一方の支持アーム７の支持ローラ２３および、前記他方の支持アーム８の支持ローラ２３が転動するガイドレール３０、３０とで構成されている。
【００１６】
前記中央支持アーム保持装置１０は前記中央支持アーム９の中央上部に上方へ突出するように設けられた中央枢支ピン３１と、この中央枢支ピン３１を前記目地部２の中央部に位置させるパンタグラフ形状の伸縮リンク３２、３２とで構成されている。
【００１７】
前記目地カバー装置５は前記複数個の目地カバー支持機構４の上部で、前記伸縮リンク３２、３２の中央枢支部３３、３３に枢支ピン３４で枢支される順次高さが異なる部位に配置された複数個の目地カバー支持バー３５と、この複数個の順次高さが異なる目地カバー支持バー３５に後端部が固定され、先端部が隣りと重なり合うスライド移動可能な複数個の目地カバー３６と、この複数個の目地カバー３６の後端部の目地カバー３６と重なり、スライド移動可能な他方の床躯体３に固定された固定目地カバー３７とで構成されている。
【００１８】
上記構成の床用目地装置１は、左右の床躯体３、３間の目地部２は複数個の目地カバー支持機構４、この複数個の目地カバー支持機構４に支持された目地カバー装置５で走行できるように、図１および図２に示すように覆われている。
【００１９】
地震で左右の床躯体３、３が揺れ動き、目地部２が広くなると、図９に示すように複数個の目地カバー支持機構４の中央支持アーム９が伸縮リンク３２、３２の中央部の目地カバー支持バー３５によって目地部２の中央部に保持されるとともに、一方の支持アーム７および他方の支持アーム８は離れる方向にスライド移動し、複数個の目地カバー支持バー３５間の寸法が順次広くなるように伸縮リンク３２、３２によって移動し、複数個の目地カバー３６の重なりが小さくなるようにスライド移動し、その揺れ動きを目地部２に隙間が生じることなく吸収することができる。
【００２０】
なお、一方の支持アーム７と他方の支持アーム８が離れる方向にスライド移動する場合、一方の支持アーム７の先端下部に取付けられた支持ローラ２３が中央支持アーム９のガイドレール３０上を転動し、中央支持アーム９の一方の支持アーム用ローラ２８は一方の支持アーム７のガイドレール２２上を転動するとともに、他方の支持アーム８の先端下部に取付けられた支持ローラ２３が中央支持アーム９ガイドレール３０上を転動し、中央支持アーム９の他方の支持アーム用ローラ２９は他方の支持アーム８のガイドレール２２上を転動するため、中央支持アーム９と一方の支持アーム７および他方の支持アーム８は伸長方向への移動時には、２個の支持ローラ２３、２３と一方および他方の支持アーム用ローラ２８、２９によって支持された状態となり、確実に水平状態を保つように移動される。
【００２１】
地震で左右の床躯体３、３が揺れ動き、目地部２が狭くなると、図９に示すように複数個の目地カバー支持機構４の中央支持アーム９が伸縮リンク３２、３２の中央部の目地カバー支持バー３５によって目地部２の中央部に保持されるとともに、一方の支持アーム７および他方の支持アーム８は近く重なる方向にスライド移動し、複数個の目地カバー支持バー３５間の寸法が順次狭くなるように伸縮リンク３２、３２によって移動し、複数個の目地カバー３６の重なりが小さくなるようにスライド移動し、その揺れ動きを目地部２に隙間が生じることなく吸収することができる。
【００２２】
なお、一方の支持アーム７と他方の支持アーム８が近く重なる方向にスライド移動する場合、一方の支持アーム７の先端下部に取付けられた支持ローラ２３が中央支持アーム９のガイドレール３０上を転動し、中央支持アーム９の一方の支持アーム用ローラ２８は一方の支持アーム７のガイドレール２２上を転動するとともに、他方の支持アーム８の先端下部に取付けられた支持ローラ２３が中央支持アーム９のガイドレール３０上を転動し、中央支持アーム９の他方の支持アーム用ローラ２９は他方の支持アーム８のガイドレール２２上を転動するため、中央支持アーム９と一方の支持アーム７および他方の支持アーム８は、収縮方向の移動時には２個の支持ローラ２３、２３と一方および他方の支持アーム用ローラ２８、２９によって支持された状態となり、確実に水平状態を保つように移動される。
【００２３】
地震で左右の床躯体３、３が不等沈下した場合、図１１に示すように複数個の目地カバー支持機構４の一方の支持アーム７を一方の床躯体３に取付けている取付金具６の枢支軸１５を中心に上下方向に回動するとともに、他方の支持アーム８を他方の床躯体３に取付けている取付金具６の枢支軸１５を中心に上下方向に回動して、その揺れ動きを吸収する。
【００２４】
地震で左右の床躯体３、３が異なる前後方向に揺れ動いた場合、図１２に示すように複数個の目地カバー支持機構４の一方の支持アーム７を一方の床躯体３に取付けている取付金具６の軸１４が水平方向に回動するとともに、他方の支持アーム８を他方の床躯体３に取付けている取付金具６の軸１４が水平方向に回動して、その揺れ動きを吸収することができる。
【００２５】
[発明を実施するための異なる形態]
次に、図１４ないし図２４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１４ないし図１６に示す本発明を実施するための第２の形態において、前記本発明を実施するための第１の形態と主に異なる点は、中央部の目地カバー支持バー３５の高さより目地カバー２６の厚さ寸法分だけ順次低くなる両側部に配置する目地カバー支持バー３５ａ、３５ａ、３５ｂ、３５ｂ、３５ｃ、３５ｃを用いた点で、このような目地カバー支持バー３５、３５ａ、３５ａ、３５ｂ、３５ｂ、３５ｃ、３５ｃを用いる時には、両端部から順次中央部に位置するように目地カバー３６、３６、３６、３６、３６、３６、３６ａを取付け、中央部の目地カバー支持バー３５には両側の目地カバー３６、３６と重なり、スライド移動できる両側へ突出する中央目地カバー３６ａを用いる。
【００２７】
このように構成した目地カバー装置５Ａを用いた床用目地装置１Ａにしても、前記本発明を実施するための第１の形態と同様な作用効果が得られる。
【００２８】
図１７ないし図１９に示す本発明を実施するための第３の形態において、前記本発明を実施するための第１の形態と主に異なる点は、一方の支持アーム７と中央支持アーム９とが最大に伸長したところで停止させるスライド溝３８と係止片３９とからなるストッパー４０を設けるとともに、他方の支持アーム８と中央支持アーム９とが最大に伸長したところで停止させるスライド溝３８と係止片３９とからなるストッパー４０を設けた複数個の目地カバー支持機構４Ａを用いるとともに、該複数個の目地カバー支持機構４Ａの一方の支持アーム７の後端部から中央支持アーム９の中央部までを覆う後端部が一方の支持アーム７の後部に枢支ピン４１で枢支された固定側目地カバー４２と、この固定側目地カバー４２のほぼ半分以上の先端部側と重なり合い、後端部が他方の支持アーム８の後部に枢支ピン４３で枢支された可動側目地カバー４４とからなる目地カバー装置５Ｂを用いた点で、このように構成した床用目地装置１Ｂにしてもよい。
【００２９】
図２０ないし図２４に示す本発明を実施するための第４の形態において、前記本発明を実施するための第１の形態と主に異なる点は、一方の支持アーム７Ａ および他方の支持アーム８Ａが対向するように複数個の伸縮できる目地カバー支持機構４Ｂ、４Ｂ、４Ｂ、４Ｂを配置するとともに、該目地カバー支持機構４Ｂ、４Ｂ、４Ｂ、４Ｂの一方の支持アーム本体２０と他方の支持アーム本体２４の先端部寄りの部位に外方へ突出するように平行維持杆支持片４５、４５をそれぞれ溶接等によって固定し、それぞれ対向する平行維持杆支持片４５、４５に枢支ピン４６、４６で両端部が枢支され、対向する一方の支持アーム本体２０、２０および対向する他方の支持アーム本体２４、２４をそれぞれ平行に維持させる平行維持杆４７、４７、４７を取付けた点で、このように配置した複数個の伸縮できる目地カバー支持機構４Ｂ、４Ｂ、４Ｂ、４Ｂを用いた床用目地装置１Ｃにしても、前記本発明を実施するための第１の形態と同様な作用効果が得られるとともに、一方の支持アーム７Ａ、７Ａおよび他方の支持アーム８Ａ、８Ａの先端部に枢支された平行維持杆４７、４７、４７によって平行に維持され、一方の支持アーム７Ａ、７Ａおよび他方の支持アーム８Ａ、８Ａが振れるのを防止して、よりスムーズに一方の支持アーム７Ａ、７Ａおよび他方の支持アーム８Ａ、８Ａをスライド移動させることができる。
【００３０】
なお、可動側目地カバー４４の固定側目地カバー４２と重なり合っていない部分には固定側目地カバー４２の厚さ寸法分の隙間が生じるが、あまり大きな荷重が加わらないところではそのままでも問題なく使用できるが、大きな荷重が加わるところでは可動側目地カバー４４に加わる荷重を支持する伸縮移動可能な複数個の荷重支持片を用いた荷重支持機構を用いるとよい。
【産業上の利用可能性】
【００３１】
本発明は目地部を介して設けられた左右の床躯体間を覆う床用目地装置を製造する産業で利用される。
【符号の説明】
【００３２】
１、１Ａ、１Ｂ、１Ｃ：床用目地装置、
２：目地部、                  ３：躯体、
４、４Ａ、４Ｂ：目地カバー支持機構、  
５、５Ａ、５Ｂ：目地カバー装置、  
６：取付金具、      Ｌ：目地部の幅寸法、
７、７Ａ：一方の支持アーム、  ８、８Ａ：他方の支持アーム、
９：中央支持アーム、    １０：中央支持アーム保持機構、
１１：ビス、        １２：軸受、
１３：固定側金具、      １４：軸、
１５：枢支軸、      １６：支持部、
１７：可動側金具、      １８：軸孔、
１９：支持部、      ２０：一方の支持アーム本体、
２１：係止レール、      ２２：ガイドレール、
２３：支持ローラ、      ２４：他方の支持アーム本体、
２５：中央支持アーム本体、  ２６：係合片、
２７：係合部、      
２８：一方の支持アーム用ローラ、
２９：他方の支持アーム用ローラ、
３０：ガイドレール、    ３１：中央枢支ピン、
３２：伸縮リンク、      ３３：中央枢支部、
３４：枢支ピン、      ３５：目地カバー支持バー、
３６：目地カバー、      ３７：固定目地カバー、
３８：スライド溝、      ３９：係止片、
４０：ストッパー、      ４１：枢支ピン、
４２：固定側目地カバー、    ４３：枢支ピン、
４４：可動側目地カバー、      ４５：平行維持杆支持片、
４６：枢支ピン、              ４７：平行維持杆。
【図１】
0006002702.tif 000002
【図２】
0006002702.tif 000003
【図３】
0006002702.tif 000004
【図４】
0006002702.tif 000005
【図５】
0006002702.tif 000006
【図６】
0006002702.tif 000007
【図７】
0006002702.tif 000008
【図８】
0006002702.tif 000009
【図９】
0006002702.tif 000010
【図１０】
0006002702.tif 000011
【図１１】
0006002702.tif 000012
【図１２】
0006002702.tif 000013
【図１３】
0006002702.tif 000014
【図１４】
0006002702.tif 000015
【図１５】
0006002702.tif 000016
【図１６】
0006002702.tif 000017
【図１７】
0006002702.tif 000018
【図１８】
0006002702.tif 000019
【図１９】
0006002702.tif 000020
【図２０】
0006002702.tif 000021
【図２１】
0006002702.tif 000022
【図２２】
0006002702.tif 000023
【図２３】
0006002702.tif 000024
【図２４】
0006002702.tif 000025